(57)【要約】  【課題】    大型の装飾部材にも光を十分に照射することができ、全体として明るい印象を与え、装飾部材の装飾効果を十分に発揮しえ、装飾設計の自由度が大きい遊技機を提供する。  【解決手段】  変動表示装置９を遊技盤１の開口裏面側に、変動表示装置９の表示部２９が臨む表示用開口窓部３３を形成した前面構成部材８を遊技盤１の前面側に配設した遊技機であって、前面構成部材８は、遊技盤１に取り付ける取付基板４７の開口部４６の後方に形成され、周壁２６と後壁２７とを備える凹室５４と、変動表示装置９の表示部２９の周りに配設され、光を反射し得る表面処理が施された装飾部材９５，９７と、を備え、前面構成部材８の外部には、凹室５４内に臨んで光を照射する発光源１７１が設けられ、凹室５４の周壁２６には、発光源１７１の光を透過して装飾部材９５，９７へ照射する透光部１７５が設けられている。【選択図】  図１６
2006141421.tif 000002
【特許請求の範囲】
【請求項１】
複数の識別情報を変動表示する変動表示ゲームを行う変動表示装置を遊技盤の開口裏面側に配設し、前記変動表示装置の表示部が臨む表示用開口窓部を形成した前面構成部材を前記遊技盤の開口前面側に配設した遊技機において、
前記前面構成部材は、
前記遊技盤に取り付ける取付基板の開口部の後方に形成され、該取付基板から後方に延設された周壁と、該周壁の後端部に設けられ前記表示用開口窓部が開口された後壁とにより区画された凹室と、
前記凹室内における前記変動表示装置の表示部の周りに配設され、光沢処理が施された装飾部材と、
を備え、
前記凹室の周壁の外部には、前記凹室内に光を照射する発光源が設けられ、
前記凹室の周壁には、前記発光源の光を透過して前記装飾部材の光沢処理面へ照射する透光部が設けられていることを特徴とする遊技機。
【請求項２】
前記凹室の周壁の下部には、遊技球が転動可能であって、該転動する遊技球を前記前面構成部材の下方の遊技領域へ流下可能なステージ部が設けられ、
該ステージ部を透明部材により形成して前記透光部が構成されるとともに、前記ステージ部の下方に前記発光源が設けられ、該発光源からの光を前記表示部の左側、右側、または上側に配設された装飾部材に照射することを特徴とする請求項１に記載の遊技機。
【請求項３】
前記透光部は、前記ステージ部と、前記発光源に対応した位置に透光開口部を有する非透光性の透光開口部材とにより構成され、該透光開口部材をステージ部の下方に配設したことを特徴とする請求項２に記載の遊技機。
【請求項４】
前記遊技盤の裏面側には、前記変動表示装置を取り付ける裏面構成部材が設けられ、
前記前面構成部材は前記遊技盤の開口に前方から嵌装され、該遊技盤の裏面よりも後方に突出して前記凹室が配されるとともに、該凹室に前記透光部が設けられ、
前記裏面構成部材に前記発光源が配設されていることを特徴とする請求項１から請求項３のいずれかに記載の遊技機。
【請求項５】
前記装飾部材には、駆動装置により動作可能な可動部材が設けられていることを特徴とする請求項１から請求項４のいずれかに記載の遊技機。
【発明の詳細な説明】
【技術分野】
【０００１】
本発明は、パチンコ遊技機等の遊技機に関し、特に、変動表示装置を遊技盤の開口裏面側に配設し、該変動表示装置の表示部が見える表示用開口窓部を形成した前面構成部材を遊技盤の前面側に配設した遊技機に関する。
【背景技術】
【０００２】
従来の遊技機、例えばパチンコ遊技機には、遊技盤の遊技領域の略中央に開口を形成し、遊技盤の開口裏面側に、複数の識別情報を変動表示する変動表示ゲームを行う変動表示装置を配設し、遊技盤の前面側に、該変動表示装置の表示部が見える表示用開口窓部を形成した前面構成部材を配設したものが知られている。
【０００３】
近年、変動表示装置が大型化する傾向にあり、これに伴ってその包囲枠としての前面構成部材も大型化してきている。その上、前面構成部材には、発光部材や装飾部材等の多くの部材が取り付けられるように成ってきており、前面構成部材はより大型化する傾向にある。また、前面構成部材に設ける装飾部材にメッキ処理や蒸着処理等の光沢処理を施して金属製の部材であるかのように表面装飾し、これに間接的に反射光を照射して装飾効果を高めることが成されている。
【０００４】
これに関連する技術として、例えば、特開２００２−１４３４０４号公報（特許文献１）には、反射凹面部で反射された飾りＬＥＤの光を装飾部材の後ろ側から前方側（遊技者側）に放射することで、装飾部材を浮き上がったように見せることができ、ひいては飾りＬＥＤによる装飾性を向上することができる遊技機が提案されている。
【特許文献１】特開２００２−１４３４０４号公報
【発明の開示】
【発明が解決しようとする課題】
【０００５】
ところで、近年の前面構成部材の大型化に伴って、これに設ける装飾部材も大型化してきているのが現状であり、メッキ処理等を施した大型の装飾部材に後方から間接的に反射光を照射しても、装飾部材の全体が照らされず、全体として暗い印象となって、装飾部材の装飾効果を十分に発揮し得ないという問題があった。
【０００６】
また、特許文献１では、光源としての飾りＬＥＤを前面構成部材を構成する部材上に設けているので、装飾設計の自由度が小さいという問題があった。
【０００７】
そこで、本発明は、上記の事情に鑑みてなされたものであり、その目的は、大型の装飾部材にも光を十分に照射することができ、全体として明るい印象を与え、装飾部材の装飾効果を十分に発揮し得、装飾設計の自由度が大きい遊技機を提供することにある。
【課題を解決するための手段】
【０００８】
本発明は、上記目的を達成するために提案されたものであり、請求項１に記載のものは、複数の識別情報を変動表示する変動表示ゲームを行う変動表示装置を遊技盤の開口裏面側に配設し、前記変動表示装置の表示部が臨む表示用開口窓部を形成した前面構成部材を前記遊技盤の開口前面側に配設した遊技機において、
前記前面構成部材は、
前記遊技盤に取り付ける取付基板の開口部の後方に形成され、該取付基板から後方に延設された周壁と、該周壁の後端部に設けられ前記表示用開口窓部が開口された後壁とにより区画された凹室と、
前記凹室内における前記変動表示装置の表示部の周りに配設され、光沢処理が施された装飾部材と、
を備え、
前記凹室の周壁の外部には、前記凹室内に光を照射する発光源が設けられ、
前記凹室の周壁には、前記発光源の光を透過して前記装飾部材の光沢処理面へ照射する透光部が設けられていることを特徴とする遊技機である。
【０００９】
請求項２に記載のものは、前記凹室の周壁の下部には、遊技球が転動可能であって、該転動する遊技球を前記前面構成部材の下方の遊技領域へ流下可能なステージ部が設けられ、
該ステージ部を透明部材により形成して前記透光部が構成されるとともに、前記ステージ部の下方に前記発光源が設けられ、該発光源からの光を前記表示部の左側、右側、または上側に配設された装飾部材に照射することを特徴とする請求項１に記載の遊技機である。
【００１０】
請求項３に記載のものは、前記透光部は、前記ステージ部と、前記発光源に対応した位置に透光開口部を有する非透光性の透光開口部材とにより構成され、該透光開口部材をステージ部の下方に配設したことを特徴とする請求項２に記載の遊技機である。
【００１１】
請求項４に記載のものは、前記遊技盤の裏面側には、前記変動表示装置を取り付ける裏面構成部材が設けられ、
前記前面構成部材は前記遊技盤の開口に前方から嵌装され、該遊技盤の裏面よりも後方に突出して前記凹室が配されるとともに、該凹室に前記透光部が設けられ、
前記裏面構成部材に前記発光源が配設されていることを特徴とする請求項１から請求項３のいずれかに記載の遊技機である。
【００１２】
請求項５に記載のものは、前記装飾部材には、駆動装置により動作可能な可動部材が設けられていることを特徴とする請求項１から請求項４のいずれかに記載の遊技機である。
【発明の効果】
【００１３】
本発明の遊技機によれば、次のような優れた効果を奏する。
即ち、請求項１に記載の発明によれば、光沢処理が施されて前記凹室内に配された装飾部材に、凹室の外部から該凹室の周壁に設けられた透光部を透して直接光が照射されるので、大型の装飾部材にも光を十分に照射することができ、全体として明るい印象を与え、装飾部材の装飾効果を十分に発揮し得る。また、凹室の周壁の外部に発光源が設けられているので、装飾設計の自由度が大きい。
【００１４】
請求項２に記載の発明によれば、前記凹室の周壁の下部に遊技球が転動可能なステージ部が設けられ、該ステージを透明部材により形成して透光部が構成され、ステージ部を透して凹部内に光が照射されるので、ステージ部を遊技球が転動する際には遊技球により光が瞬間的に遮られることになり、装飾効果を高めることができる。
【００１５】
請求項３に記載の発明によれば、透光開口部を有する非透光性の透光開口部材により発光源が覆われているので、遊技者から直接に発光源が見えるのを防止することができる。
【００１６】
請求項４に記載の発明によれば、前記遊技盤の裏面側に裏面構成部材が設けられ、前記遊技盤の裏面よりも後方に突出して配された凹室に前記透光部が設けられ、前記裏面構成部材に前記発光源が配設されているので、遊技盤の裏面側に配設された発光源が遊技者から直接に見えず、また、透光部から大きな間隔を開けて発光源を設けることも不要となるので前面構成部材のさらなる大型化や、構造の複雑性などを防止することができる。
【００１７】
請求項５に記載の発明によれば、前記装飾部材に、駆動装置により動作可能な可動部材が設けられているので、装飾効果を高めることができる。
【発明を実施するための最良の形態】
【００１８】
以下、代表的な遊技機であるパチンコ遊技機を例に挙げて、本発明を実施するための最良の形態を図面に基づいて説明する。図１はパチンコ遊技機の遊技盤１の正面図である。
【００１９】
パチンコ遊技機の遊技盤１は、図１に示すように、合板やプラスチック等からなる矩形状の遊技盤本体２の表面に、ガイドレール５や遊技領域区画部材６等を止着することで略円形状の遊技領域７を区画形成している。そして、遊技盤１は、この遊技領域７内において、略中央からガイドレール５とは反対側（図中右側）に亘って前面構成部材（センターケース）８を配設し、該前面構成部材８の後方には、遊技領域７の略中央に位置するように複数の識別情報を変動表示する変動表示ゲームを行う変動表示装置（画像表示装置）９を備えている。また、遊技盤１は、変動表示装置９の下方にチューリップタイプの変動表示始動口１０を配設し、該始動口１０の下方に、変動表示装置９の作動結果によって遊技球を受け入れない状態と受け入れ易い状態とに変換可能な特別変動入賞装置（大入賞口）１１を配設している。さらに、遊技盤１は、特別変動入賞装置１１の側方には補助変動表示を行う補助変動表示装置１５を配設し、前記センターケース８の左側には補助変動表示の始動ゲート１６を配設している。そして、遊技盤１は、この他に、一般入賞口２１、遊技球の流下方向を変える風車２２や障害釘２３、発光により各種の装飾表示を行うランプ・ＬＥＤ（図示せず）、及び入賞せずに流下した遊技球を回収するアウト口２４を設けている。
【００２０】
図２はパチンコ遊技機の遊技盤、前面構成部材及び裏面構成部材を示す斜視図であり、図３は裏箱ユニットの前面に取付基板ユニットを取り付け、その内部に装飾ユニットを収納した状態を示す斜視図である。また、図４は取付基板ユニット及び裏箱ユニット、これらの間に収納する装飾ユニットを前方から見た状態を示す分解斜視図であり、図５は後方から見た状態を示す分解斜視図である。
【００２１】
図２に示すように、遊技盤１の遊技領域７の略中央には前記前面構成部材８の外形形状に対応した開口３１を形成してあり、前記遊技盤１の開口裏面側に前記変動表示装置９を後面に備えた裏面構成部材３２を配設し、前記遊技盤１の開口前面側に該変動表示装置９の表示部２９が臨む表示用開口窓部３３を形成した前面構成部材８を配設している。
【００２２】
裏面構成部材３２は、後面中央部に液晶表示装置等の変動表示装置９を備え、その周壁部３６を前方に延出させた箱体状の部材であり、取付片３７を遊技盤１の裏面に当接させて、遊技盤１の裏面側から止着固定する。この裏面構成部材３２の底部の右側には、光装飾手段を構成する光源基板１７１が配設されており、その配設構造については後で詳細に説明する。
【００２３】
変動表示装置９は、複数の変動表示領域（左側、中央、右側の３つの可変表示領域等）を設定して各表示領域の各々で独立して画像表示がなされる表示装置であって、本実施形態では、例えば、任意の画像を表示可能なＬＣＤ（液晶表示器）等で表示画面部分が構成され、この表示画面上の複数の変動表示領域には複数の識別情報（図柄）を変動表示する変動表示ゲーム等、遊技の進行に基づく画像が表示される。したがって、本実施形態の遊技機は、前記始動口１０への入賞等の始動条件の成立に基づいて変動表示装置６にて識別情報を変動表示する変動表示ゲームを実行し、該変動表示ゲームが特定の結果態様を導出することに関連して所定の遊技価値が付与されるように成っている。
【００２４】
前面構成部材８は、図２から図５に示すように、遊技盤１に形成された開口３１に該遊技盤１の前方から嵌装される部材であって、該前面構成部材８の前面部分を構成する取付基板ユニット（取付基板体）４０と、該取付基板ユニット４０の裏面側に設けられる裏箱ユニット（裏箱体）４１と、該裏箱ユニット４１の前面に前記取付基板ユニット４０を取り付けて、その内部に収納される装飾ユニット４３とを備えている。
【００２５】
裏箱ユニット４１は、前記遊技盤１の開口３１に前方から嵌装され、前方を開放した箱状ユニットであって、略額縁状の周壁２６の後端に区画された後壁２７に長方形状の表示用開口窓部３３が形成され、前記裏面構成部材３２に内装するように装着されることにより、前記表示用開口窓部３３から前記変動表示装置９の表示部２９を臨ませるように成っている。この裏箱ユニット４１の周囲の適宜位置には、この前面に前記取付基板ユニット４０を取り付けるためのネジ等の止着部材を止着する止着部４４が配設されている。
【００２６】
取付基板ユニット４０は、前記表示用開口窓部３３よりも大きい開口部４６が形成された異形枠体状のユニットであって、その周囲に沿って前記遊技盤１に取り付ける取付基板４７を有しており、その適宜位置には止着部材を止着する止着部４８が形成されている。図３に示すように、この取付基板４７の前面側上部には、左右全幅に亘って庇状の鎧部５１を前方に突設し、該鎧部５１の左右傾斜端部から下方に縦長の側辺部５２，５２を突設し、左右の側辺部５２，５２の下端同士を接続する状態で底部５３を後方へ突設し、この取付基板ユニット４０を前記裏箱ユニット４１の前面に取り付けることにより、前記鎧部５１、左右側辺部５２，５２、及び底部５３に前方部分が囲まれた凹室５４を形成している。この凹室５４の後方部分は裏箱ユニット４１の周壁２６で区画され、その奥の面である後壁２７に前記表示用開口窓部３３が配設されており、鎧部５１は、上面が中央の円弧状の振り分け凸部５５から左右方向に向けて緩やかに下り傾斜している。そして、前記取付基板４７の後部には取付支持部５６が前記鎧部５１と連続するように一体成形されており、該取付支持部５６は前記取付基板４７から遊技盤１内へ臨むように後方へ向けて突設されている。この凹室５４の底部に配されたステージ部６０は、左右方向に延設されて遊技球を転動可能な第１ステージ６１と、その前面側下方において左右方向に延設されて遊技球を転動可能な第２ステージ６２とが設けられ、第１ステージ６１と第２ステージ６２とは起立壁６３により隔てられている。
【００２７】
第１ステージ６１は、前記裏箱ユニット４１の底部に形成され、遊技球を転動可能な案内棚を構成しており、左右方向両側に曲率の小さな円弧状の凹面６５，６５を、中央部に曲率の大きな円弧状の凸面６６を形成するような波形状の転動面を有している。円弧状の凹面６５，６５の谷部には前面側へ向けて下り傾斜した球案内部６７，６７が形成されており、円弧状の凸面６６の中央山部には第１の導入口６８が開口され、この導入口６８は案内路（図示せず）に連通している。
【００２８】
また、第２ステージ６２は、前記取付基板ユニット４０の底部に形成され、遊技球を転動可能な案内棚を構成しており、第１ステージ６１と同様に、左右方向両側に曲率の小さな円弧状の凹面７５，７５を、中央部に曲率の大きな円弧状の凸面７６を形成するような波形状の転動面を有している。円弧状の凹面７５，７５の谷部には前面側へ向けて下り傾斜した球案内部７７，７７が形成されており、円弧状の凸面７６の中央山部には第２の導入口７８が開口され、この導入口７８は前記の共通の案内路の途中に上方から連通している。この案内路は、前面側へ向けて下り傾斜しており、その傾斜下端部は前記取付基板ユニット４０の下部中央に開口した導出口７９に連通することになり、該導出口７９は前記始動口１０の直上に配置されている。
【００２９】
また、前記取付基板ユニット４０には、前記ガイドレール５によって区画され、前記発射装置により発射された遊技球を導入部１７から遊技領域７に案内する発射球案内通路１３（図１参照）とは反対側の部分の前記取付基板４７を前記鎧部５１から右側の前記遊技領域区画部材６側へと延出させて、外形が前記遊技領域区画部材６に沿って円弧状に形成される取付基板延出部８１を設けている。この取付基板延出部８１は、前記裏箱ユニット４１との間に収納される前記装飾ユニット４３の前面を覆っており、例えば、無色透明の合成樹脂材により形成されて、後方の装飾ユニット４３が視認可能なカバー部材を構成している。取付基板延出部８１は無色透明の部材に限るものではなく、後方の装飾ユニット４３が視認可能であれば、有色透明または半透明等であってもよい。また、この取付基板延出部８１は、その前方を遊技球が流下可能に形成され、遊技球が通過し得る幅を有しており、前述したように、外形が前記遊技領域区画部材６に沿った円弧状を呈しているので、前記鎧部５１の振り分け凸部５５よって右方向に振り分けられた遊技球が該取付基板延出部８１の前面に沿って円滑に流下するように成っている。
【００３０】
さらに、図１において、前記遊技領域区画部材６の前記発射球案内通路１３の先端の導入部１７と対向する側部には、前記取付基板延出部８１側へ突出した当て板部材８５を配設して、前記遊技領域区画部材６に沿って進行する遊技球が衝突して流下方向を変換するように、前記遊技領域区画部材６の一部を屈曲させた段部８６が形成してある。そして、前記取付基板延出部８１の遊技球の通過の妨げとならない位置に、本実施形態では取付基板延出部８１の上部に、前方に突出する機械部品のような装飾部８７を備えており、この装飾部８７は、前記遊技領域区画部材６の段部８６から前記導入部１７の方向へ向けて円弧状に該遊技領域区画部材６に沿って配設されている。また、該取付基板延出部８の下部には、機械部品のような装飾の施された複数の流下方向変換部材９１が互い違いに配設されており、さらにその下方には歯車形状の風車９２が配設されている。前記装飾部８７、流下方向変換部材９１及び風車９２には、メッキ処理や蒸着処理等の光を反射し得る表面処理（光沢処理）が施され、金属の質感を有している。
【００３１】
このように、前記取付基板延出部８１を鎧部５１から右側の遊技領域区画部材側へと延出させて拡大しており、この拡大した取付基板延出部８１の遊技球の通過の妨げとならない位置に装飾部８７を備えているので、装飾領域をさらに拡大することができ、さらに、該取付基板延出部８の下部に装飾の施された複数の流下方向変換部材９１や風車９２を配設しており、前記装飾部８７、流下方向変換部材９１及び風車９２は金属質感を有しているので、装飾効果を高めつつ遊技の興趣を高めることができる。
【００３２】
次に、装飾ユニットについて説明する。
図６は裏箱ユニットに装飾ユニットを配置した状態を示す斜視図であり、図７は裏箱ユニットの凹凸壁部及び装飾ユニットの凹凸形状を裏面側から見た状態を示す縦断面図である。また、図８は上装飾ユニットの駆動部分を示す斜視図であり、図９は右装飾ユニットの駆動部分を示す斜視図である。
【００３３】
前述したように、前記裏箱ユニット４１の前面に前記取付基板ユニット４０を取り付けて、これらの内部に装飾ユニット４３を収納している。装飾ユニット４３は、図４及び図５に示すように、本実施例では、例えば、上装飾ユニット９５、左装飾ユニット９６及び右装飾ユニット９７から構成され、それぞれ歯車やピストン等の機械の内部構造を暗示させるような装飾が施され、さらに、メッキ処理や蒸着処理等の光沢処理が施され、金属の質感を有している。図６に示すように、上装飾ユニット９５、左装飾ユニット９６及び右装飾ユニット９７は、それぞれ前記裏箱ユニット４１内の上部分、左側部分及び右側部分に、該裏箱ユニット４１の凹凸形状を有する周壁２６に当接させた状態で配置する。即ち、図７に示すように、この凹凸形状の周壁２６において、上部壁部１０２は前記上装飾ユニット９５の上部分の外形に対応する凹凸形状を有し、左側壁部１０３（図７では右側部分）は前記左装飾ユニット９６の左側部分の外形に対応する凹凸形状を有し、右側壁部１０４（図７では左側部分）は前記右装飾ユニット９７の右側部分の外形に対応する凹凸形状を有している。
【００３４】
また、図８に示すように、上装飾ユニット９５の装飾部材は、例えば、３連のピストン１２１と装飾歯車１２２などの可動部材から成り、前述したように、これらの可動部材は、メッキ処理や蒸着処理等の光沢処理が施されて金属の質感を有しており、モータ等の駆動装置１２３により駆動される第１ギヤ機構１２４を介して動作するように構成されている。また、図６に示すように、左装飾ユニット９６の装飾部材は、例えば、漫画のキャラクター名を表す文字装飾１２５が施されている。さらに、図９に示すように、右装飾ユニット９７の装飾部材は、例えば、トランス１３０、装飾歯車群１３１及びクランク機構１３２などの可動部材から成り、前述したように、これらにはメッキ処理等の光沢処理が施されて金属の質感を有しており、これらの可動部材は、駆動装置により駆動される第２ギヤ機構１３３を介して動作するように構成されている。
【００３５】
次に、ワープ装置について説明する。図１０はワープ装置を示す要部断面図であり、図１１は左装飾ユニットを示す分解斜視図である。
前述したように、前記前面構成部材８の内部には凹室５４が形成されており、その底部には遊技球を転動させる前記第１ステージ６１及び第２ステージ６２が配設されている。この前面構成部材８には、前記遊技盤１の遊技領域７を流下する遊技球を流入口１４１から受け入れて流下路１４２，１４３を流下させ前記凹室５４内の所要部位に設けられた流出口１４３から該凹室５４の底部に形成した前記第１ステージ６１に案内するワープ装置１４０が備えられている。図１０に示すように、このワープ装置１４０の前記流入口１４１と、該流入口１４１から後方に遊技球１５１を流下させる後方流下路１４２とは、前記取付基板ユニット４０に形成してあり、前記後方流下路１４２と連通し遊技球１５１を下方へ流下させる下方流下路１４３と、該下方流下路１４３の下方端部に設けられた前記流出口１４４とは、前記左装飾ユニット９６に形成してある。
【００３６】
具体的には、図１及び図３に示すように、前記流入口１４１は取付基板ユニット４０の左側側辺部５２における前記始動ゲート１６の右斜め下方に位置しており、前面構成部材８の左側の遊技領域７を流下する遊技球を受け入れる左斜め上方へ向けて開口している。そして、該流入口１４１の後方に延出された後方流下路１４２は、その底部が後方へ向けて下方に傾斜して形成され、流入口１４１に入った遊技球１５１を後方へ転動させるように成っている。さらに、図１０及び図１１に示すように、この後方流下路１４２に連通する下方流下路１４３は、左装飾ユニット９６のユニット本体１５５の下部に位置する下方延出部１５６の前面中間部に連通部１５７を開口しており、その下端部まで垂下して該下方延出部１５６の右側面下端部に前記流出口１４４を開口しており、図３に示すように、該流出口１４４は第１ステージ６１の左端部に配置されている。このユニット本体１５５の下方延出部１５６に形成された下方流下路１４３の後面は裏蓋１５８によって覆われている。
【００３７】
このように、前記取付基板ユニット４０に、流入口１４１と、該流入口１４１から後方に遊技球を流下させる後方流下路１４２とを形成するとともに、前記左装飾ユニット９６に、前記後方流下路１４２と連通し遊技球を下方へ流下させる下方流下路１４３と、該下方流下路１４３の下方端部に設けられた流出口１４４とを形成したので、簡単な構造で、前面構成部材８の剛性を保ったままワープ装置１４０を構成することができる。
【００３８】
なお、各装飾ユニット９５，９６，９７は複数の部品を組み合わせてユニット化されており、例えば、左装飾ユニット９６は、ユニット本体１５５が有色透明の合成樹脂材等の透光性の部材により形成され、その裏面側に複数のＬＥＤの搭載された裏面側発光基板１６０を備えるとともに、その前面側に前記ユニット本体１５５の前面部に形成された凹部１６１に係合する異形箱体状の装飾部品１６２、該装飾部品１６２を覆う蓋材１６３、該蓋材１６３に装着される複数のＬＥＤの搭載された前面側発光基板１６４、該発光基板１６４の前面に設けられ、レンズ枠１６７内に収納される透明の後側レンズ部材１６５及び前側レンズ部材１６６を順次備えて、前記文字装飾１２５を構成しており、前面側発光基板１６４によって後側レンズ１６５及び前側レンズ１６６を介して文字装飾１２５が点灯し、前記裏面側発光基板１６１によって前記ユニット本体１５５における文字装飾１２の周囲部分が点灯するように成っている。
【００３９】
前述したように、前記前面構成部材８には種々の装飾部材が配設されているが、以下に、これらの装飾部材に光を照射して装飾効果を発揮する光装飾手段について説明する。図１２は、裏面構成部材への発光源基板の取り付け構造を示す斜視図である。また、図１３は前面構成部材を構成する取付基板ユニットを後方から見た分解斜視図であり、図１４は前面構成部材を構成する裏箱ユニットを前方から見た分解斜視図である。さらに図１５は、透光部を構成する透光開口部材を示す斜視図である。そして、図１６は前面構成部材を遊技盤の裏面側から見た状態を示す斜視図、図１７は前面構成部材の組み立て状態の断面構造を示す縦断面図、図１８は透光開口部材を前面構成部材の下方から見た状態を示す下面図である。
【００４０】
前述したように、前面構成部材８の凹室５４は、前方部分が前記取付基板ユニット４０の鎧部５１、左右側辺部５２，５２、及び底部５３によって囲まれており、後方部分が前記取付基板から後方に延設された裏箱ユニット４１の周壁２６、及び該周壁２６の後端部に設けられ前記表示用開口窓部３３が開口された後壁２７によって囲まれている。そして、この凹室５４内の前記変動表示装置９の表示部２９の周りに上装飾ユニット９５、左装飾ユニット９６及び右装飾ユニット９７等の装飾部材が配設され、これらの装飾部材は、光沢処理が施されて金属の質感を有している。本実施形態における光装飾手段は、可動部材を備えた上装飾ユニット９５及び右装飾ユニット９７、ワープ装置１４０の一部を形成する左装飾ユニット９６などに光を照射して金属質の光沢を強調する等して装飾効果が高まるように構成されており、前記凹室５４内に臨ませて設けられて光を照射する発光源１７１と、該発光源１７１の光を透過して装飾部材の光沢処理面へ照射する透光部１７５とから成っている。
【００４１】
図１２に示すように、発光源１７１は、本実施形態では、例えば、複数のＬＥＤを搭載した発光源基板１７２によって構成されている。そして、発光源基板１７２の右側方には、複数のＬＥＤを搭載した発光源基板１７３が設けられている。これら発光源基板１７２，１７３は前記前面構成部材８の外部、具体的には、凹室５４の周壁２６の外部に設けられており、本実施形態では、前記遊技盤１の開口裏面側に配設される裏面構成部材３２の周壁部３６の底部１７４に設けられている。具体的には、各発光源基板１７２，１７３は基板ホルダ１８２，１８３に装着保持されるように成っており、前記周壁部３６の底部１７４に設けた取付ボス１８４に、各基板ホルダ１８２，１８３に形成された止着部１８５をネジ等の止着部材で止着することにより、該周壁部３６の底部１７４に固定される。各発光源基板１７２，１７３は、固定状態においてＬＥＤ搭載面（発光側面）を前記凹室５４内へ向けている。
【００４２】
また、前面構成部材８を構成する取付基板ユニット４０及び裏箱ユニット４１については既に説明したが、光装飾手段の説明を行う関係上、図１３及び図１４を用いて、これらを構成する部材について説明する。
図１３に示すように、取付基板ユニット４０は、前述したように、前記凹室５４の前方部分を区画しており、その本体部分は、前記遊技盤１の開口前面側から該遊技盤１の表面に取り付ける取付基板４７と、該取付基板４７と一体的に形成され、該取付基板４７から後方へ突出して開口部４６を区画する取付支持部５６とから構成されており、上部右側（図１３では上部左側）には前記取付基板延出部８１が形成されている。この取付基板延出部８１の後部には、機械部品を模した装飾部材（図示せず）、レンズ部材、及び複数のＬＥＤを搭載した発光基板等がユニット化されて設けられ、この装飾部材は、光沢処理が施されて金属の質感を有しており、後方の前記発光基板により間接的に照らされている。また、取付基板延出部８１の前面には、内部の装飾部材が視認可能なように無色透明の合成樹脂板によって形成された円弧状のカバー部材１９１が取り付けられ、該カバー部材１９１上の下方部分には複数の前記流下方向変換部材９１や歯車形状の風車９２が取り付けられる。さらに、取付基板４７及び後方へ突出した取付支持部５６の左側（図１３では右側）には、前記ワープ装置１４０の後方流下路１４２を区画するワープ流路区画部材１９２が取り付けられ、その前面側には前記流入口１４１を区画する入口区画部材１９３が取り付けられる。そして、取付基板４７及び後方へ突出した取付支持部５６の底部５３の中央部には、前記第１導入口６８及び第２導入口７８に連通する案内路１９４の前方部分が上方を開放した状態で溝状に形成され、その上部には波形状の転動面を有する前記第２ステージ６２と成る棚部材１９５が取り付けられ、前記案内路１９４の前面には前記導出口７９の開口された出口区画部材１９６が取り付けられる。本実施形態では、この第２ステージ６２を構成する棚部材１９５は、無色透明の合成樹脂材により形成されている。またさらに、取付基板４７の略上半部分の前面には、鎧部５１及び左右側辺部５２，５２を構成するフレーム部材１９７が取り付けられる。
【００４３】
また、図１４に示すように、裏箱ユニット４１は、前述したように、前記凹室５４の後方部分を区画しており、前記取付基板４７から後方に延設された周壁２６と、該周壁２６の後端部を区画し前記表示用開口窓部３３が開口された後壁２７とによって構成されている。前記周壁２６の底部２０１の中央部には、前記案内路１９４の後方部分が上方を開放した状態で溝状に形成されている。また、前記後壁２７の下部前面には、例えば、複数のＬＥＤの搭載された逆台形状の発光基板２０２が取り付けられ、その前面には該発光基板２０２及び後壁２７の略全体を覆うように矩形枠体状のフレーム部材２０３が取り付けられており、該フレーム部材２０３の下辺中央部には前記第１導入口６８が前面側を開放した状態で形成されている。さらに、このフレーム部材２０３の左側には、例えば、複数のＬＥＤの搭載された発光基板２０４が取り付けられ、前記左装飾ユニット９６を構成するユニット本体１５５の下方延出部１５６に後方から光を照射するように成っている。そして、このフレーム部材２０３の下部前面には、前記周壁２６の底部（下部）２０１を覆うように、波形状の転動面を有する前記第１ステージ６１と成る棚部材２０５が取り付けられている。この棚部材２０５は、本実施形態では、無色透明の合成樹脂材により形成されて、前記透光部１７５の一部を構成している。また、この棚部材２０５の前面側中央部には第２導入口７８が前方を開放した状態で設けられている。さらに、前記棚部材２０５の下方には透光開口部材２１２が配設され、該透光開口部材２１２とステージ部６０の第１ステージ６１（すなわち棚部材２０５）とにより前記透光部１７５が構成されている。この透光部１７５は、前記発光源１７１の光を透過して表示部２９の左側または上側に配設されている装飾部材へ照射する機能を有する。また、周壁２６の底部２０１の右側であって棚部材２０５の右側方には、開口部２０７が発光源基板１７３に対応する透光部として開設されている。この開口部２０７は、発光源基板１７３からの光を透過して表示部２９の右側に配設されている装飾部材へ照射する機能を有する。
なお、図１４において、２０６は前記第２ギヤ機構１３３を駆動するモータ等の駆動装置である。
【００４４】
透光開口部材２１２は、図１４及び図１５に示すように、前記発光源１７１としての発光源基板１７２に対応した位置に複数の透光開口部２１１を有して形成されている。この透光開口部材２１２は、前記周壁２６の底部２０１の形状に対応するようにへの字状に屈曲した板状部材により形成され、その長手方向に沿って一列に並んだ前記透光開口部２１１の後方側には、機械部品を模した装飾形状が施されており、全体としてメッキ処理等の光沢処理が施されて金属の質感を有している。また、各透光開口部２１１の周囲には、八角形状の凹部２１３が形成されており、この部分にも光沢処理が施されて金属の質感を有しているので、光の反射板として機能するように成っており、この反射板の機能により透光開口部２１１を透過する光を効率よく装飾部材に照射することができる。さらに、光沢処理を施すことによって、透光開口部材２１２は、各透光開口部２１１以外は光を透過しない非透光性の部材として形成されている。このように透光開口部２１１を有する非透光性の透光開口部材２１２により発光源１７１としての発光源基板１７２が覆われているので、遊技者から直接に発光源が見えるのを防止することができる。そして、前記透光開口部材２１２はへの字状に屈曲しており、前記周壁２６の底部２０１に該透光開口部材２１２の右側部分が右上方へ傾斜するように取り付けられるので、前記上装飾ユニット９５と右装飾ユニット９７とに効率よく光を照射することができる。なお、各透光開口部２１１は、単なる開口部でもよく、この部位に透明部材やレンズ部材を介設してもよい。
【００４５】
前述したように、前記裏箱ユニット４１は、前記遊技盤１の開口３１に前方から嵌装され、前記裏面構成部材３２に内装するように装着されることにより、前記表示用開口窓部３３から前記変動表示装置９の表示部２９を臨ませるように成っている。したがって、裏箱ユニット４１を裏面構成部材３２に内装すると、図１６及び図１７に示すように、前記透光開口部材２１２の下方に前記発光源基板１７２が所定の間隔を隔てて配され、該発光源基板１７２の発光面側を前記透光開口部２１１に向けて装着される。このように発光源１７１としての発光源基板１７２は、実施形態では裏面構成部材３２に設けられているが、前面構成部材８の外面に取り付けるようにしてもよい。しかし、遊技者から発光源１７１が直接に見えないようにするためには、透光部１７５から所定間隔を開けて発光源１７１を設けなくてはならない。このため、前面構成部材８に発光源を設けた場合は、前面構成部材８の大型化、構造が複雑、前面構成部材を遊技盤に取り付け難いなどの問題がある。そこで本実施形態のように、前記遊技盤１の裏面側に裏面構成部材３２を設け、遊技盤１の裏面よりも後方に突出して配された凹室５４に透光開口部材２１２を設け、前記裏面構成部材８に前記発光源基板１７２を配設すると、遊技盤１の裏面側に配設された発光源基板１７２が遊技者から直接に見えることはなくなる。したがって、前面構成部材８のさらなる大型化や、構造の複雑性などを防止することができる。
【００４６】
さらに、図１８に示すように、前記発光源基板１７２からの光を透光開口部材２１２の各透光開口部２１１から透過させるため、一列に並んだ透光開口部２１１側の部分のみが前記底部２０１の下面から露出するように、該底部２０１に開口部を形成してもよい。また、第１ステージ６１及び第２ステージ６２を透明部材により形成したので、これら第１ステージ６１及び第２ステージ６２の全体に亘って光が透過する。さらに、透光開口部材２１２の透光開口部２１１、第１ステージ６１及び第２ステージ６２を透して発光源基板１７２から凹部５４内に光が照射されるので、第１ステージ６１及び第２ステージ６２を遊技球が転動する際には遊技球により光が瞬間的に遮られることになり、この光の瞬間的な遮断により装飾効果を高めることができる。
【００４７】
次に、図１、図３及び図１０を用いて、以上の如く構成された本実施形態のパチンコ遊技機１の作用について説明する。
図１及び図３に示すように、前記発射装置により発射された遊技球は発射球案内通路１３を経て、前記導入部１７から遊技領域７の上部に飛入し、前面構成部材（センターケース）８の鎧部５１の上面に流下すると、振り分け凸部５５によって左側あるいは右側に振り分けられることとなり、前面構成部材８の側辺部５２，５２の外側に位置する左側の遊技領域７または取付基板延出部８１の前面を流下する。そして、左側の遊技領域７を流下する遊技球は、前面構成部材８の左側の側辺部５２に開口されたワープ装置１４０の流入口１４１に流入し得ることになる。
【００４８】
図３及び図１０に示すように、ワープ装置１４０の流入口１４１に遊技球１５１が流入すると、その後方に延出された後方流下路１４２及び下方流下路１４３を経て、該下方流下路１４３の下方端部に開口された流出口４２から第１ステージ６１の転動面の左端上に流下される。この第１ステージ６１の転動面は、図３に示すように、左右方向の略中央部分に円弧状の凸面６６を、該凸面６６の左右両側方に円弧状の凹面６５，６５をそれぞれ備えて略波面状を呈しているので、転動して次第に減勢されると前記凹面６５，６５に形成された球案内溝（落下許容部）６７，６７からその前面側下方に配置された第２ステージ６２上に流下されることになる。なお、第１ステージ６１の転動面の前記凹面６５，６５以外の部分の前面側には起立壁（落下規制部）６３が形成されているので、遊技球の勢いが強すぎない限り、起立壁（落下規制部）６３を乗り越えて第２ステージ６２上に落下することはない。
【００４９】
一方、第１ステージ６１の転動面を転動する遊技球が円弧状の凸面６６を通過する際に、その中央部に開口された第１の導入口６８内に入ることがあり、該導入口６８に入った遊技球は誘導路を通過して前記始動入賞口１０の直上に位置する導出口７９から流出し、始動入賞口１０へ向けて流下することになる。
【００５０】
また、第１ステージ６１の前記落下許容部６７，６７から第２ステージ６２へと落下した遊技球は、第１ステージ６１を経ることによって減勢されているが、第２ステージ６２の転動面が、図３に示すように、左右方向の略中央部分に円弧状の凸面７６を、該凸面７６の左右両側方に円弧状の凹面７５，７５をそれぞれ備えて略波面状を呈しているので、さらに転動して減勢されることになる。そして、第２ステージ６２の転動面を転動する遊技球は、前記凹面７５，７５に形成された球案内溝（落下許容部）７７，７７からその前面側下方へと流下したりする。
【００５１】
そして、本実施形態では、例えば、前記右装飾ユニット９７の装飾歯車群１３１及びクランク機構１３２は常時作動させ、前記上装飾ユニット９５の３連のピストン１２１及び装飾歯車１２２は大当たり予告時又はリーチ予告時に作動させるように成っており、これらの可動部材には前記発光源基板１７２，１７３の光が透光開口部材２１２の透光開口部２１１や開口部２０７を透して直接に照射されるので、より装飾効果をより高めることができる。したがって、遊技者は左装飾ユニット９６のの文字装飾１２５の点灯や上装飾ユニット９５及び右装飾ユニット９７の光装飾された動作だけでなく、各ステージ上の遊技球の案内過程をも併せて楽しむことができ、又、前記導出口７９から流下した遊技球を下方の遊技領域へと案内して、前記始動口１０への入賞の可能性を期待させることにより、遊技の興趣を高めることができる。
【００５２】
以上のように構成された本実施形態のパチンコ遊技機によれば、前記前面構成部材８の凹室５４内に配された光を光沢処理が施された上装飾ユニット９５及び右装飾ユニット９７等の装飾部材に、凹室５４の外部から該凹室５４の周壁に設けられた透光部１７５を透して直接に光が照射されるので、大型の装飾部材にも光を十分に照射することができ、全体として明るい印象を与え、装飾部材の装飾効果を光沢処理した部材の光沢と相俟って十分に発揮し得る。また、前面構成部材８の外部、例えば、裏面構成部材３２の周壁２６の底部２０１に発光源１７１が設けられているので、装飾設計の自由度が大きいものである。
【００５３】
前記した実施形態は、代表的な遊技機であるパチンコ遊技機を例にして説明したが、本発明はこれに限らず、変動表示装置を遊技盤の開口裏面側に配設し、該変動表示装置の表示部が臨む表示用開口窓部を形成した前面構成部材を遊技盤の前面側に配設した遊技機であれば、例えば、内部に封入した遊技球を循環させる封入球式パチンコ機、アレンジボール式遊技機、雀球式遊技機等の遊技機であってもよい。
【００５４】
前記した実施の形態は全ての点で例示であって制限的なものではないと考えられるべきである。本発明は、前記した説明に限らず特許請求の範囲によって示され、特許請求の範囲と均等の意味及び範囲内での全ての変更が含まれるものである。
【図面の簡単な説明】
【００５５】
【図１】パチンコ遊技機の遊技盤の正面図である。
【図２】パチンコ遊技機の遊技盤、前面構成部材及び裏面構成部材を示す斜視図である。
【図３】裏箱ユニットの前面に取付基板ユニットを取り付け、その内部に装飾ユニットを収納した状態を示す斜視図である。
【図４】取付基板ユニット及び裏箱ユニット、これらの間に収納する装飾ユニットを前方から見た状態を示す分解斜視図である。
【図５】取付基板ユニット及び裏箱ユニット、これらの間に収納する装飾ユニットを後方から見た状態を示す分解斜視図である。
【図６】裏箱ユニットに装飾ユニットを配置した状態を示す斜視図である。
【図７】裏箱ユニットの凹凸壁部及び装飾ユニットの凹凸形状を裏面側から見た状態を示す縦断面図である。
【図８】上装飾ユニットの動作部分を示す斜視図である。
【図９】右装飾ユニットの動作部分を示す斜視図である。
【図１０】ワープ装置を示す要部断面図である。
【図１１】左装飾ユニットを示す分解斜視図である。
【図１２】裏面構成部材への発光源基板の取り付け構造を示す斜視図である。
【図１３】前面構成部材を構成する取付基板ユニットを後方から見た分解斜視図である。
【図１４】前面構成部材を構成する裏箱ユニットを前方から見た分解斜視図である。
【図１５】透光部を構成する透光開口部材を示す斜視図である。
【図１６】前面構成部材を遊技盤の裏面側から見た状態を示す斜視図である。
【図１７】前面構成部材の組み立て状態の断面構造を示す縦断面図である。
【図１８】透光開口部材を前面構成部材の下方から見た状態を示す下面図である。
【符号の説明】
【００５６】
１  遊技盤
７  遊技領域
８  前面構成部材（センターケース）
９  変動表示装置
１０  変動表示始動口
１１  特別変動入賞装置
２６  周壁
２７  後壁
２９  表示部
３１  開口
３２  裏面構成部材
３３  表示用開口窓部
３６  周壁部
３７  取付片
４０  取付基板ユニット
４１  裏箱ユニット
４３  装飾ユニット
４７  取付基板
５４  凹室
９５  上装飾ユニット
９６  左装飾ユニット
９７  右装飾ユニット
１７１  発光源
１７２，１７３  発光源基板
１７４  底部
１７５  透光部
１８２，１８３  基板ホルダ
２０２  発光基板
２０４  発光基板
２０７  開口部
２１１  透光開口部
２１２  透光開口部材
２１３  凹部
【図１】
2006141421.tif 000003
【図２】
2006141421.tif 000004
【図３】
2006141421.tif 000005
【図４】
2006141421.tif 000006
【図５】
2006141421.tif 000007
【図６】
2006141421.tif 000008
【図７】
2006141421.tif 000009
【図８】
2006141421.tif 000010
【図９】
2006141421.tif 000011
【図１０】
2006141421.tif 000012
【図１１】
2006141421.tif 000013
【図１２】
2006141421.tif 000014
【図１３】
2006141421.tif 000015
【図１４】
2006141421.tif 000016
【図１５】
2006141421.tif 000017
【図１６】
2006141421.tif 000018
【図１７】
2006141421.tif 000019
【図１８】
2006141421.tif 000020